(57)【要約】  【課題】  プライバシーを確保することができると共に多様な動作を可能とするローマンシェードを提供する。  【解決手段】  ヘッドレール１２に第１生地１６の上端が取り付けられ、第１生地１６の下端に第２生地１８の上端が取り付けられ、第２生地１８の下端部にはヘッドレール１２から昇降可能に垂下する昇降コード２０の一端部が取付けられ、第１生地１６及び第２生地１８の連結部にヘッドレールから昇降可能に垂下する開閉用コード３２の一端部が取り付けられる。開閉用コード３２の一端部が上昇操作されると第１生地１６が畳み込まれ第２生地１８が露出され、開閉用コード３２の一端部が下降操作されると第２生地１８が畳み込まれ第１生地１６が露出され、開閉用コード３２のみが操作されているときに第２生地１８の下端部が昇降しないようにする。【選択図】  図１
2006314532.tif 000002
【特許請求の範囲】
【請求項１】
ヘッドレール（１２）に第１生地（１６）の上端が取り付けられ、第１生地（１６）の下端に第２生地（１８）の上端が取り付けられ、第２生地（１８）の下端部にはヘッドレール（１２）から昇降可能に垂下する昇降コード（２０）の一端部が取付けられ、第１生地（１６）及び第２生地（１８）の連結部にヘッドレール（１２）から昇降可能に垂下する開閉用コード（３２）の一端部が取り付けられ、開閉用コード（３２）の一端部が上昇操作されると第１生地（１６）が畳み込まれ第２生地（１８）が露出され、開閉用コード（３２）の一端部が下降操作されると第２生地（１８）が畳み込まれ第１生地（１６）が露出され、開閉用コード（３２）のみが操作されているときに第２生地（１８）の下端部が昇降しないようにしたことを特徴とするローマンシェード。
【請求項２】
第１生地（１６）には上下方向に離間して複数の第１環部（１６ａ）が設けられ、第２生地（１８）には上下方向に離間して複数の第２環部（１８ａ）が設けられ、開閉用コード（３２）は各第１環部（１６ａ）を挿通し、昇降コード（２０）は各第２環部（１８ａ）を挿通しており、第１環部（１６ａ）同士の上下方向の間隔と第２環部（１８ａ）同士の上下方向の間隔とが異なることを特徴とする請求項１記載のローマンシェード。
【請求項３】
ヘッドレール（１２）の前面にはバランス（４０）が取り付けられ、開閉用コード（３２）を上昇させて第１生地（１６）が完全に畳み込まれたときに、第１生地（１６）がバランス（４０）によって覆い隠されることを特徴とする請求項１または２記載のローマンシェード。
【請求項４】
前記バランス（４０）が第２生地（１８）と同じ素材からなることを特徴とする請求項３記載のローマンシェード。
【発明の詳細な説明】
【技術分野】
【０００１】
本発明は、生地を畳み込んでたくし上げることができるローマンシェードに関し、多様な動作を可能とするローマンシェードに関する。
【背景技術】
【０００２】
従来、遮蔽材を下方から畳み込んでたくし上げることができる以外の動作を可能とするものとして、特許文献１に記載された昇降カーテンが知られている。この例では、レールに昇降可能に吊り下げられたカーテン本体の下縁部を任意の位置まで昇降する下縁部昇降手段と、カーテン本体の上縁部を任意の位置まで昇降する上縁部昇降手段とを設けており、下縁部昇降手段によりカーテン本体の下縁部を任意の位置まで昇降させることによって、カーテン本体を下縁部から上昇させた開放状態と、カーテン本体の下縁部を下降させた閉鎖状態とが形成され、上縁部昇降手段によりカーテン本体の上縁部を任意の位置まで昇降することによって、カーテン本体の上縁部を下降させた上部開放状態と、カーテン本体の上縁部を上昇させた閉鎖状態とが形成される。こうして上部開放状態において、窓開口部の下側をカーテン本体で覆う一方で上側を開放して光を採り込むといった動作形態を形成することができる。
【０００３】
【特許文献１】特開２００５−２７７２７号公報
【発明の開示】
【発明が解決しようとする課題】
【０００４】
しかしながら、特許文献１記載の昇降カーテンにおいては、カーテン本体の上縁部を下降させて上側を開放してしまうと、カーテン本体の上部が完全に開放されてしまうため、プライバシーを確保することができない、という問題がある。
【０００５】
本発明はプライバシーを確保することができると共に多様な動作を可能とするローマンシェードを提供することを目的とする。
【課題を解決するための手段】
【０００６】
前述した目的を達成するために、請求項１記載の発明はヘッドレールに第１生地の上端が取り付けられ、第１生地の下端に第２生地の上端が取り付けられ、第２生地の下端部にはヘッドレールから昇降可能に垂下する昇降コードの一端部が取付けられ、第１生地及び第２生地の連結部にヘッドレールから昇降可能に垂下する開閉用コードの一端部が取り付けられ、開閉用コードの一端部が上昇操作されると第１生地が畳み込まれ第２生地が露出され、開閉用コードの一端部が下降操作されると第２生地が畳み込まれ第１生地が露出され、開閉用コードのみが操作されているときに第２生地の下端が昇降しないようにしたことを特徴とする。
【０００７】
請求項２記載の発明は、請求項１記載のものにおいて、第１生地には上下方向に離間して複数の第１環部が設けられ、第２生地には上下方向に離間して複数の第２環部が設けられ、開閉用コードは各第１環部を挿通し、昇降コードは各第２環部を挿通しており、第１環部同士の上下方向の間隔と第２環部同士の上下方向の間隔とが異なることを特徴とする。
【０００８】
請求項３記載の発明は、請求項１または２記載のものにおいて、ヘッドレールの前面にはバランスが取り付けられ、開閉用コードを上昇させて第１生地が完全に畳み込まれたときに、第１生地がバランスによって覆い隠されることを特徴とする。
【０００９】
請求項４記載の発明は、請求項３記載の前記バランスが第２生地と同じ素材からなることを特徴とする。
【発明の効果】
【００１０】
本発明によれば、開閉用コードの一端部の上昇及び下降操作により、第１生地と第２生地との露出及び畳み込みを切り替えることができる。即ち、開口が第１生地または第２生地のいずれかによって覆われた状態で、ローマンシェードが設定された開口を覆う第１生地と第２生地との割合を開閉用コードの操作によって変更することができるために、プライバシーを確保することができる。その一方で、昇降コード及び開閉用コードの一端部をそれぞれ上昇操作させれば、第２生地及び第１生地共に畳み込まれるので、開口の一部または全部を完全に開放することも可能となる。
【００１１】
請求項２記載の発明によれば、第１環部と第２環部との間隔を変えることで、第１生地と第２生地のそれぞれを畳み込んだときの畳み代を変えることができるようになる。第１生地の畳み代を小さくしたい場合には、第１環部の間隔を第２環部の間隔よりも小さくなるように設定するとよい。
【００１２】
請求項３記載の発明によれば、第１生地が完全に畳み込まれたときに、バランスによって第１生地を覆い隠すことで、第２生地だけからなる通常のローマンシェードと同等の外観とすることができるようになる。第１生地を半透明生地、第２生地及びバランスを不透明生地とすれば、第１生地を完全に畳み込んでバランスで覆い隠したときに、光の侵入を遮断することができるようになる。
【００１３】
請求項４記載の発明によれば、第１生地を畳み込んでたくし上げたときには、バランスと第２生地とによって統一された素材からなるローマンシェードの外観とすることができるようになる。
【発明を実施するための最良の形態】
【００１４】
以下、図面を用いて本発明の実施の形態を説明する。
図１は本発明の実施形態にかかるローマンシェードの正面図である。図において、ローマンシェード１０は窓枠等の開口に設定されるもので、窓枠や壁面等の固定部にブラケット１１によって固定されるヘッドレール１２を有している。
【００１５】
ヘッドレール１２からは、生地１４が昇降可能に垂下されている。生地１４は、第１生地１６及び第２生地１８が中間バー１７を介して連結されてなり、第１生地１６の上端がヘッドレール１２に取り付けられ、第１生地１６の下端に中間バー１７によって第２生地１８の上端が取り付けられている。第２生地１８の下端にはウエイトバー１９が設けられる。第１生地１６と第２生地１８は、遮蔽性または模様等の種類が異なる任意の素材の生地となっている。この例では、第１生地１６が半透明生地、第２生地１８が不透明生地となっており、遮光率が異なっている。
【００１６】
第１生地１６と第２生地１８の高さ寸法は任意とすることができるが、それぞれの伸張状態において、ローマンシェード１が設定される開口を覆うことができる程度の長さとするとよく、よって、連結された生地１４の高さ寸法は開口の高さ寸法のほぼ２倍となっているとよい。
【００１７】
第１生地１６と第２生地１８の裏面には、それぞれ幅方向に適宜離間して、且つ上下方向に離間して複数のコードリング１６ａ、１８ａがそれぞれ取り付けられており、各コードリング１６ａ、１８ａが生地の環部を構成している。環部は生地と別体の部材で構成する以外に生地と一体のものとすることもでき、任意の手段により構成することが可能である。
【００１８】
生地１４の裏面側には昇降コード２０が配される。昇降コード２０の一端部は、第２生地１８の下端部（ウエイトバー１９を含む）に取り付けられ、第２生地１８の各コードリング１８ａを挿通し、ヘッドレール１２に導かれる。昇降コード２０の他端部は、ヘッドレール１２内に配設された巻取ドラム２４に巻取り・巻解き可能に取り付けられる。巻取ドラム２４は、ヘッドレール１２内でその長手方向に伸び回転可能となった回転シャフト２６と一体回転可能となっており、回転シャフト２６は、ヘッドレール１２の端部にあるコントロールユニット２７に連結される。コントロールユニット２７にはプーリ２８が設けられており、プーリ２８には操作コード３０が巻き掛けられる。コントロールユニット２７は、操作コード３０によるプーリ２８の所定方向の回転に対して回転シャフト２６を一体的に回転させると共に、操作コード３０によるプーリ２８の反対方向の回転に対して回転シャフト２６を解放するものであり、昇降コード２０は操作コード３０の操作によって、巻取ドラム２４に巻取りまたは巻解きされる。回転シャフト２６には、昇降コード２０が巻解かれる際の回転に対してブレーキを作動させる下降ブレーキ３１が設けられている。
【００１９】
また、生地１４の裏面側には開閉用コード３２が配される。開閉用コード３２の一端部は、第１生地１６の下端部（中間バー１７を含む）に取り付けられ、第１生地１６の各コードリング１６ａを挿通し、ヘッドレール１２に導かれる。開閉用コード３２の他端部は、ヘッドレール１２に設けられたコードガイド３４によって誘導されてヘッドレール１２に沿って伸びた後、ヘッドレール１２の端部に設けられたストッパ３６を通過して、ヘッドレール１２から垂下され操作つまみ３８に連結される。操作つまみ３８は補助コード３９によって第２生地１８の下端に連結される。ストッパ３６は、開閉用コード３２を、締結可能となっており、開閉用コード３２の拘束・解除の切替を行う。
【００２０】
尚、図示した例とは異なり、ヘッドレール１２において、昇降コードをコードガイドによって導き、開閉用コードを巻取ドラムに取り付けるようにすることも可能であるが、図示例のように操作荷重がかかる昇降コードを巻取ドラムに取り付けるようにすると操作性に優れて好都合である。
【００２１】
また、ヘッドレール１２の前面にはバランス４０の上端が取り付けられている。バランス４０は第２生地１８と同じ素材またはほぼ等価な遮光率の素材であるとよい。
【００２２】
以上のように構成されるローマンシェード１０において、その作用を説明する。図１及び図４に示した状態は、第１生地１６及び第２生地１８の一部がそれぞれ畳み込まれて一部がそれぞれ露出した状態となっている。よって、開口の上方が第１生地１６で覆われ、開口の下方が第２生地１８で覆われており、開口の上方からの柔らかい光の採り入れが可能になり、開口の下方は外部から遮蔽して外からの視線を遮ることができるようになっている。
【００２３】
図１及び図４に示した状態から、操作つまみ３８またはその付近の開閉用コード３２を操作してストッパ３６を解除した後、開閉用コード３２の一端部を完全に下降操作させると、図２及び図５に示したように、第１生地１６がより露出し、第２生地１８が完全に畳み込まれた状態となる。よって、開口がほぼ第１生地１６によって覆われる状態となり、開口全体を遮蔽性の低い状態で覆うことができ、開口全体から外部からの柔らかい光を一層採り入れることができる。
【００２４】
または、図１及び図４に示した状態から、操作つまみ３８を下方に引いて開閉用コード３２の一端部を上昇操作させると、図３及び図６に示すように、第１生地１６がより畳み込まれる一方で、第２生地１８が完全に露出される状態となる。よって、開口がほぼ第２生地１８によって覆われる状態となり、開口全体をより遮蔽性の高い状態で覆うことができ、外からの光または視線をより確実に遮ることができる。
【００２５】
以上の図１（図４）または図３（図６）に示す状態においては、それぞれの状態の切替をするのに開閉用コード３２のみが操作されており、昇降コード２０は操作されていないので、第２生地１８の下端部は昇降しておらず、その高さを維持している。そして、開閉用コード３２の一端部の昇降程度を図５及び図６の間で適宜変更することにより、第１生地１６と第２生地１８との露出割合を変化させることができ、プライバシーを確保したまま多様な動作態様を実現することができる。
【００２６】
一方、図６の状態から操作コード３０を操作して、昇降コード２０の一端部を上昇操作させると、図７に示すように、第１生地１６及び第２生地１８共に畳み込まれてたくし上げられた状態となる。よって、開口が完全に開放されて十分な採光及び眺望を得ることができる。また、昇降コード２０の一端部と開閉用コード３２の一端部の昇降程度を様々に変化させることにより、図示した以外の様々な動作態様を実現することができ、開口の一部のみを開放することも可能になる。
【００２７】
図６または図７に示す開閉用コード３２の一端部が上昇するように操作されて第１生地１６が完全に畳み込まれている状態においては、第１生地１６がバランス４０に完全に覆い隠されるようにするとよい。これによって、図６に示すように、開口全体を第２生地１８及びバランス４０で覆うことができるので、より遮蔽性を高くすることができる。バランス４０は第２生地１８と同じ素材または同じ遮光率の素材となっているので、図６に示す状態において、開口全体において光の侵入を防ぎ、遮蔽を行なうことができるようになる。また、この状態においては通常のローマンシェードと同等の外観とすることができる。
【００２８】
図８及び図９は、第１生地１６のコードリング１６ａの上下方向のピッチが、第２生地１８のコードリング１８ａの上下方向のピッチと異なるように設定された例である。好ましくは、図示したように、第２生地１８のコードリング１８ａのピッチよりも、第１生地１６のコードリング１６ａのピッチの方が小さくなるように設定されるとよい。このようにピッチを異ならしめることにより、第１生地１６の畳み代を小さくすることができるので、第１生地１６をバランス４０内に完全に覆い隠すために必要なバランス４０の長さを短くすることができて、好都合となる。
【図面の簡単な説明】
【００２９】
【図１】本発明の実施形態にかかるローマンシェードの正面図（一部生地を省略）であり、第１生地と第２生地のそれぞれの一部が露出され一部が畳み込まれた状態を示す。
【図２】本発明の実施形態にかかるローマンシェードの正面図（一部生地を省略）であり、第１生地が露出され、第２生地が完全に畳み込まれた状態を示す。
【図３】本発明の実施形態にかかるローマンシェードの正面図（一部生地を省略）であり、第１生地が畳み込まれ、第２生地が完全に露出された状態を示す。
【図４】図１の状態のローマンシェードの操作部を除く側面図である。
【図５】図２の状態のローマンシェードの操作部を除く側面図である。
【図６】図３の状態のローマンシェードの操作部を除く側面図である。
【図７】ローマンシェードの側面図であり、第１生地及び第２生地共に完全に畳み込まれた状態を示す。
【図８】第１生地と第２生地のそれぞれの環部のピッチが異なる場合の図５相当図である。
【図９】第１生地と第２生地のそれぞれの環部のピッチが異なる場合の図６相当図である。
【符号の説明】
【００３０】
１０  ローマンシェード
１２  ヘッドレール
１４  生地
１６  第１生地
１６ａ  コードリング（第１環部）
１８  第２生地
１８ａ  コードリング（第２環部）
２０  昇降コード
３２  開閉用コード
４０  バランス
【図１】
2006314532.tif 000003
【図２】
2006314532.tif 000004
【図３】
2006314532.tif 000005
【図４】
2006314532.tif 000006
【図５】
2006314532.tif 000007
【図６】
2006314532.tif 000008
【図７】
2006314532.tif 000009
【図８】
2006314532.tif 000010
【図９】
2006314532.tif 000011